【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】  増殖性疾患の処理のための、式
【化１】
2002541102.tif 000001
（式中、
Ｒ1及びＲ2は独立して水素、フルオロ、クロロ、ブロモ、Ｃ１〜Ｃ６アルキル、Ｃ１〜Ｃ６アルコキシ、ニトロ、シアノ及びトリフルオロメチルから成る群から選択され、
Ｒ3及びＲ4は独立して水素、フルオロ、クロロ、ブロモ、ニトロ、シアノ及びトリフルオロメチルから成る群から選択され、
Ｒ1及びＲ2のうち少なくとも１つは水素以外のものであり、そして
Ｒ3及びＲ4のうち少なくとも１つは水素以外のものであり、
ここで、
（ａ）Ｒ1及びＲ3が水素でありＲ2が４−ブロモ又は４−クロロであるとき、Ｒ4は４−クロロ、４−フルオロ、又は４−ブロモであってはならず、
（ｂ）Ｒ1及びＲ3が水素でありＲ2が４−フルオロであるとき、Ｒ4は４−フルオロ又は４−ブロモであってはならず、
（ｃ）Ｒ1が水素でありＲ4が２−フルオロであるとき、Ｒ2及びＲ3は４−フルオロであってはならず、
（ｄ）Ｒ1が水素でありＲ3が４−水素、４−クロロ又は４−ブロモでありＲ4が２−水素、２−クロロ又は２−フルオロであるとき、Ｒ2は４−水素、４−クロロ、４−フルオロ、又は４−ブロモであってはならず、及び
（ｅ）当該化合物が（Ｅ）−２−クロロ−４−フルオロスチリル−４−フルオロベンジルスルホン、（Ｅ）−２−クロロ−４−フルオロスチリル−４−クロロベンジルスルホン、（Ｅ）−２−クロロ−４−フルオロスチリル−４−ブロモベンジルスルホン、（Ｅ）−２，４−ジフルオロスチリル−４−クロロベンジルスルホン、又は（Ｅ）−２，４−ジフルオロスチリル−４−ブロモベンジルスルホンではないことを条件とする）
の化合物。
【請求項２】  式
【化２】
2002541102.tif 000002
（式中、
Ｒ1及びＲ2は独立して水素、フルオロ、クロロ、ブロモ、Ｃ１〜Ｃ６アルキル、Ｃ１〜Ｃ６アルコキシ、ニトロ、シアノ及びトリフルオロメチルから成る群から選択され、
Ｒ3及びＲ4は独立して水素、フルオロ、クロロ、ブロモ、ニトロ、シアノ及びトリフルオロメチルから成る群から選択され、
Ｒ1及びＲ2のうち少なくとも１つは水素以外のものであり、そして
Ｒ3及びＲ4のうち少なくとも１つは水素以外のものであり、
ここで、
（ａ）Ｒ1及びＲ3が水素でありＲ2が４−クロロであるとき、Ｒ4は４−クロロ、４−フルオロ、４−ブロモ、又は４−ニトロであってはならず、
（ｂ）Ｒ1及びＲ3が水素でありＲ2が４−フルオロ又は４−ブロモであるとき、Ｒ4は４−フルオロ、４−ブロモ、又は４−クロロであってはならず、
（ｃ）Ｒ1及びＲ3が水素でありＲ2が４−ニトロであるとき、Ｒ4は４−クロロ、４−ニトロ、４−ブロモ、又は４−フルオロであってはならず、
（ｄ）Ｒ1及びＲ3が水素でありＲ2が４−メチルであるとき、Ｒ4は４−クロロ、４−ブロモ、４−フルオロ、又は２−クロロであってはならず、
（ｅ）Ｒ1が水素であるとき、Ｒ2、Ｒ3及びＲ4は全てがフルオロであってはならず、
（ｆ）Ｒ1が水素でありＲ3が２−フルオロであるとき、Ｒ2及びＲ4が共に４−クロロ、４−ブロモ及び４−フルオロから成る群から選択されてはならず、及び
（ｇ）当該化合物が（Ｅ）−２−クロロ−４−フルオロスチリル−４−フルオロベンジルスルホン、（Ｅ）−２−クロロ−４−フルオロスチリル−４−クロロベンジルスルホン、（Ｅ）−２−クロロ−４−フルオロスチリル−４−ブロモベンジルスルホン、（Ｅ）−２，４−ジクロロスチリル−４−フルオロベンジルスルホン、（Ｅ）−２，４−ジクロロスチリル−４−クロロベンジルスルホン、（Ｅ）−２，４−ジクロロスチリル−４−ブロモベンジルスルホン、（Ｅ）−２−クロロ−４−ブロモスチリル−４−フルオロベンジルスルホン、（Ｅ）−２−クロロ−４−ブロモスチリル−４−クロロベンジルスルホン、又は（Ｅ）−２−クロロ−４−ブロモスチリル−４−ブロモベンジルスルホンではないことを条件とする）
の化合物。
【請求項３】  Ｒ1及びＲ2のうち少なくとも１つは、それが結合しているフェニル環の２−、３−又は４−位置に位置し、そして
Ｒ3及びＲ4のうち少なくとも１つは、それが結合しているフェニル環の２−又は４−位置に位置することを特徴とする請求項２の化合物。
【請求項４】  Ｒ1及びＲ2のうち少なくとも１つはクロロであり、Ｒ3及びＲ4のうち少なくとも１つはクロロ又はフルオロであることを特徴とする請求項３の化合物。
【請求項５】  Ｒ2は４−ハロゲン又は４−シアノであり、Ｒ4は４−ニトロであることを特徴とする請求項３の化合物。
【請求項６】  Ｒ2は４−Ｃ１〜Ｃ６アルコキシであり、Ｒ4は４−ハロゲン又は４−ニトロであることを特徴とする請求項３の化合物。
【請求項７】  （Ｅ）−４−フルオロスチリル−４−トリフルオロメチルベンジルスルホン、（Ｅ）−２−トリフルオロメチル−４−フルオロスチリル−２，４−ジクロロベンジルスルホン、（Ｅ）−４−フルオロスチリル−４−ニトロベンジルスルホン、及び（Ｅ）−４−フルオロスチリル−４−シアノベンジルスルホン、（Ｅ）−４−フルオロスチリル−３，４−ジクロロベンジルスルホン、（Ｅ）−４−フルオロスチリル−２，４−ジクロロベンジルスルホン、（Ｅ）−４−ニトロスチリル−４−フルオロベンジルスルホン、（Ｅ）−４−ニトロスチリル−４−ブロモベンジルスルホン、（Ｅ）−４−ニトロスチリル−４−シアノベンジルスルホン、（Ｅ）−４−フルオロスチリル−４−メトキシベンジルスルホン、（Ｅ）−４−クロロスチリル−４−メトキシベンジルスルホン、（Ｅ）−４−ブロモスチリル−４−メトキシベンジルスルホン、及び（Ｅ）−４−ニトロスチリル−４−メトキシベンジルスルホンから成る群から選択されることを特徴とする請求項１又は２の化合物。
【請求項８】  前記増殖性疾患は癌であることを特徴とする請求項１の化合物。
【請求項９】  前記増殖性疾患は、新生児の血管腫症、二次進行性多発性硬化症、慢性進行性骨髄変性疾患、神経線維腫症、神経節神経腫症、ケロイド形成、骨のパジェット病、胸部の線維嚢胞疾患、ペロニーズ＆ドュプレン線維症、再発狭窄症及び硬変から成る群から選択されることを特徴とする請求項１の化合物。
【請求項１０】  前記癌は、卵巣、胸部、前立腺、肺、腎臓、結腸直腸及び脳の癌から成る群から選択されるか、又は前記癌は白血病であることを特徴とする請求項８の化合物。
【請求項１１】  医薬上許容しうるキャリアと、請求項１〜１０のいずれかの項に記載の化合物と、を含むことを特徴とする医薬組成物。
【請求項１２】  請求項１の化合物の合成における中間体として有用な化合物であって、前記中間体化合物が、式
【化３】
2002541102.tif 000003
（式中、
Ｒ1及びＲ2が両方ハロゲンであるか、又は
Ｒ1が水素でありＲ2がＣＦ3である）
で表されるものであるか又はその塩であることを特徴とする化合物。
【請求項１３】  Ｒ1及びＲ2は両方クロロであることを特徴とする請求項１２の化合物。
【請求項１４】  ４−トリフルオロメチルベンジルスルホニル酢酸、２，４−ジクロロベンジルスルホニル酢酸及び３，４−ジクロロベンジルスルホニル酢酸、及びこれらの塩類から成る群から選択されることを特徴とする請求項１２の化合物。